(57)【要約】【課題】ゴルフクラブのシャフトの撓りを擬似的に体感することができるゴルフ練習具を提供する。【解決手段】合成樹脂製の直管からなるシャフトと、該シャフトの両端それぞれに装着したゴルフクラブの両手用グリップと、前記シャフトの一端内部のみに固定され、慣性モーメントにより前記シャフトを弾性的に撓らせる重さを有したウェイトとを備える。ウェイトはシャフト内に挿入可能な外径を有する金属製の棒であり、該ウェイトをシャフトに挿入すると共に、前記シャフトの外側から半径方向にピンを貫通させてシャフトの一端側に固定し、さらにウェイトとシャフトとの隙間に接着剤を充填してシャフトと一体とすることが好ましい。【選択図】図５
0003177868.tif 000002
【実用新案登録請求の範囲】
【請求項１】
合成樹脂製の直管からなるシャフトと、該シャフトの両端それぞれに装着したゴルフクラブの両手用グリップと、前記シャフトの筒内の一端側のみに固定され、慣性モーメントにより前記シャフトを弾性的に撓らせる重さを有した円柱状のウェイトとを備えたことを特徴としたゴルフ練習具。
【請求項２】
ウェイトはシャフト内に挿入可能な外径を有する金属製の棒であり、該ウェイトをシャフトに挿入すると共に、前記シャフトの外側から半径方向にピンを貫通させてシャフトの一端側に固定し、さらにウェイトとシャフトとの隙間に接着剤を充填してシャフトと一体とした請求項２記載のゴルフ練習具。
【請求項３】
ウェイトは、外周面にねじを刻設してなる請求項２記載のゴルフ練習具。
【請求項４】
シャフトは、ポリ塩化ビニル管である請求項１、２または３記載のゴルフ練習具。
【請求項５】
接着剤は、ウレタン系接着剤である請求項４記載のゴルフ練習具。
【考案の詳細な説明】
【技術分野】
【０００１】
この考案は、ゴルフの素振り練習を行う専用具に係り、両端にグリップを設けると共に、シャフトの一端にウェイトをおいたスティック状のゴルフ練習具に関するものである。
【背景技術】
【０００２】
ゴルフで飛距離を出すための要素にシャフトの撓り（しなり）がある。つまり、テイクバックではシャフトが後方に撓るが、ダウンスイングからフォロースルーにかけてはシャフトが逆に前方に撓る（撓り戻り）過程において、インパクト時に慣性モーメントが最も増大することにより、ヘッドスピードが上がり飛距離が出る。
【０００３】
しかしながら、シャフトが上述のように撓るためには、コッキングやボディーターンなど、一連のスイング動作が正しく行わなければならず、初心者やスイングに癖のある者にとっては、通常のゴルフクラブで練習していたのでは、シャフトの撓りを実感できないままであることが多い。また、初心者等はクラブの軌跡に気をとられがちであるが、シャフトが撓るかどうかによって、インパクト時におけるヘッドの高さや角度も異なってくるため、ボールをヘッドの中心（スイートスポット）で捉えるためには、まずシャフトの撓りを体得することが重要である。
【０００４】
ところで、これまでゴルフの素振り練習の専用具として、全体形状が野球のバットに似たもの（特許文献１）、シャフトがゴム棒からなるもの（特許文献２）などが提案されているが、これらのものはゴルフクラブと構造が全く異なるため、経験者ならばスイングの自己分析に有効と言えるものでも、初心者や未熟者にとっては実践的なスイング練習を行えるとは言い難い。
【０００５】
一方、特許文献３〜５には、ヘッドを持たないスティック状のゴルフ練習具が開示されており、初心者にとっても比較的実践的な練習が可能とされている。特に特許文献３・４のものは、シャフトの両端にグリップを設け、さらにシャフトの一端寄りにウェイトをおいているため、何れのグリップを握って素振りするかによって手元調子にも先調子にもなり、１本で異なるスイングを体感することができる。
【先行技術文献】
【特許文献】
【０００６】
【特許文献１】特開２００９−１７２１４１号公報
【特許文献２】実用新案登録第３０４６９３８号公報
【特許文献３】特開２０００−１４８５０号公報
【特許文献４】特開２０１０−１７８９４３号公報
【特許文献５】特開２００２−２００２０７号公報
【考案の概要】
【考案が解決しようとする課題】
【０００７】
しかしながら、特許文献３や４のゴルフ練習具の場合、シャフトは通常のゴルフクラブと同じもの、あるいは、スイング中にほとんど撓まない素材を積極的に用いるため、シャフトの撓りを体感する目的の練習具ではなく、実際に体感することもできない。
【０００８】
しかも、これら練習具において両端のグリップは、通常のグリップと、特許文献３では片手用の短尺グリップ、特許文献４では両手の間隔を空けて握る長尺グリップを組み合わせたものであるため、グリップごとに握り方を変えなくてはならず、通常の握り方で先調子や手元調子の撓りを体感することができないものである。
【０００９】
一方、特許文献５の練習具は、円筒状の塩化ビニールをシャフトに見立て、その一端にグリップを設けたものであるが、シャフトの先端には危険防止用のスポンジが取り付けられるのみで、ヘッドに相当する重量部分がないため、やはりシャフトの撓りを体感するものではない。
【００１０】
本考案は上述した従来技術の課題を解決するためになされたもので、その目的とするところは、ゴルフクラブのシャフトの撓りを擬似的に体感することができるゴルフ練習具を提供することである。
【課題を解決するための手段】
【００１１】
上述した目的を達成するために、本考案のゴルフ練習具は、合成樹脂製の直管からなるシャフトと、該シャフトの両端それぞれに装着したゴルフクラブの両手用グリップと、前記シャフトの筒内の一端側のみに固定され、慣性モーメントにより前記シャフトを弾性的に撓らせる重さを有した円柱状のウェイトとを備える。なお、両手用グリップとは、両手で握る通常のグリップを意味し、上記特許文献３や４に記載された片手用グリップ及び長尺グリップと区別する意義を有する。
【００１２】
本考案のゴルフ練習具においてシャフトは、全長にわたって径が均一な合成樹脂製の直管であり、内部は中空であって、外力を加えると弾性的に撓る素材である。そのシャフトの一端にウェイトを内蔵しているため、ウェイトを下にして素振りを行うことにより、ウェイトの慣性モーメントによってシャフトの撓りを体感することができる。また、ウェイト側のグリップを握って素振りをすることもでき、この場合、スイングが軽くなる。
【００１３】
本考案の場合、ウェイト側にもグリップを装着するため、ウェイトはシャフトの筒内に固定する必要がある。このときウェイトはスイング中に移動したり、振動しないように固定することが好ましい。ウェイトが不用意に位置を変えると、練習具の重心が変化し、安定した素振りを行うことができないからである。そのため、ウェイトはシャフト内に挿入可能な外径を有する金属製の棒であり、該ウェイトをシャフトに挿入すると共に、前記シャフトの外側から半径方向にピンを貫通させてシャフトの一端側に固定し、さらにウェイトとシャフトとの隙間に接着剤を充填してシャフトと一体とするという手段を用いる。ピンによってウェイトはシャフト内での移動が規制されるが、ウェイトとシャフトの筒内には挿通のための隙間（クリアランス）があるため、スイング時にピンを中心としてウェイトが揺動することが想定される。そのため、本考案では上記隙間に接着剤を充填して、当該隙間を接着剤で埋め尽くすことで、ウェイトとシャフトを一体化するという手段を採用したのである。
【００１４】
また、ウェイトを接着剤によりシャフトと一体化する場合、ウェイトの外周面にねじを刻設しておくことが好ましい。表面積（接着面積）の拡大によって、接着強度を高めることができるからである。
【００１５】
一方、シャフトは、上述のように弾性的に撓る機械的特性を有する合成樹脂製の直管であれば、その材質は限定されないが、安全性、耐久性、経済性を考慮すれば、ポリ塩化ビニル管であることが好ましい。
【００１６】
そして、シャフトをポリ塩化ビニル管で構成した場合、接着剤はウレタン系接着剤を採用する。ゴム系やエポキシ系など、他の接着剤と比べて、ポリ塩化ビニルに対し高い接着性を発揮するからである。なお、ウレタン系の接着剤であれば、具体的な成分を特定するものではないが、トルエン含有型が経済性に優れる。ただし、比較的高価な湿気硬化型であってもよい。
【考案の効果】
【００１７】
本考案によれば、シャフトの筒内の一端側のみにウェイトを一体的に固定したので、ウェイトを下にして素振りをすることで、通常のゴルフクラブと同様に、ヘッドの重さを感じながら、シャフトの撓りを体感することができる。特に、本考案は通常のゴルフクラブよりも撓みやすい合成樹脂製の直管をシャフトとしているので、初心者であっても容易に撓りを体感することができる。また、クラブに振られる感覚があるため、テイクバック時にトップまでの体重移動、トップからの切り返し順序についても、同時に習得することができる。さらに、足腰や背筋の強化にも効果がある。一方、ウェイト側のグリップを握って素振りをすれば、上述とは全く別のスイング感覚となり、軽くスイングすることができる。このため、体と腕とクラブの一体感を得ながら、正しいボディーターンが習得でき、最終的にはヘッドスピードを上げるような感覚で練習することができる。そして、これら両方の素振りを交互に行うことによって、体で動かす部分と止める部分を認識でき、上半身と下半身のバランスを習得することができる。
【００１８】
また用いる材質としては、シャフトに合成樹脂製の直管、好ましくはポリ塩化ビニル管を採用するので、入手が容易で、経済的である。さらに、ウェイトも建築等で汎用的な金属棒あるいはねじ棒を採用することができ、接着剤もウレタン系のものを採用するため、通常のゴルフクラブのシャフトを採用した従来の練習具に比べて１本当たりのコストを下げることができる。
【００１９】
そして、ウェイトは接着剤によりシャフトに一体化されるため、スイング中にウェイトが移動したり揺動したりすることなく、常に定位置にあり、安定した素振り練習を行うことができる。
【図面の簡単な説明】
【００２０】
【図１】本発明の一実施形態に係るゴルフ練習具全体を示す説明図
【図２】ウェイト側の要部を拡大した分解斜視図
【図３】ウェイト側の要部を拡大した組立斜視図
【図４】ウェイト側の要部を拡大した断面図
【図５】同練習具の動作例を示す説明図
【考案を実施するための形態】
【００２１】
以下、本考案の好ましい実施の形態を添付した図面に従って説明する。本考案のゴルフ練習具は、図１に全体を示すように、シャフト１の両端にグリップ２・３を備え、シャフト１の一端内部にウェイト４を設けた構成である。
【００２２】
当該構成において、シャフト１は合成樹脂製の直管であり、より具体的にはポリ塩化ビニル管である。長さは、ゴルフの素振りに対応する範囲で設定され、通常のゴルフクラブのシャフトと同じか、若干短い程度が適当であるが、特に数値を限定するものではなく、使用者の身長等に応じて常識的な範囲で決定すればよい。また、シャフト１は中空の管状であり、その外径は既存のグリップ２・３を通法にしたがって装着できる範囲で設定され、通常、１８ｍｍ前後である。これに対して、内径は、上記材質のシャフト１に適度な撓りを付与するため、１５ｍｍ前後であることが好ましいが、これまた厳密に数値を特定するものではない。このシャフト１によれば、端部に外力を加えることで弾性的に撓り、外力を取り除くと、弾性力によって元の直線状に復元する機械的特性を有する。また、通常のスチールシャフトと比べて、重量が１／５程度に軽量化され、初心者や腕力の弱い者でも手軽に素振り練習することができる。
【００２３】
グリップ２・３は、何れも両手用グリップであり、通常のゴルフクラブに装着するものを採用する。このほか、グリップ２・３に必要な条件はないが、好ましくはグリップ２・３の色を変えるなどして、使用者にとって何れがウェイト４側であるかを容易に識別できるようにしておくことが好ましい。
【００２４】
ウェイト４は、図２に明らかなように、シャフト１の中空部１ａに挿入可能な外径を有する円柱状の棒であり、素材は金属である。重さは、２００〜２５０ｇが好ましく、そのため鋼棒を２０〜２５ｃｍに切断したものを使用する。
【００２５】
このウェイト４をシャフト１の一端内部に固定するには、予めウェイト４の一端（図２上、上端）に、ピン５が挿通する貫通孔４ａを半径方向に形成し、シャフト１にも同様の貫通孔１ｂを形成しておく。次に、図３に示したように、ウェイト４をシャフト１に挿入し、シャフト１の外側から両者の貫通孔１ｂ・４ａにピン５を挿通することで、一応の固定が完了する。
【００２６】
さらに、この実施形態では、ウェイト４をシャフト１に一体化するため、図４に示したように、ウェイト４とシャフト１（中空部１ａ）間の隙間に接着剤６を充填している。当該接着剤６が固化することで、ウェイト４の移動や揺動は完全に規制され、シャフト１の一端内部に完全に固着した状態となる。ここで用いる接着剤６は、シャフト１の素材に適応するものから選択することができ、シャフト１がポリ塩化ビニル管の場合はウレタン系の接着剤を用いることが好ましい。
【００２７】
そして、グリップ２・３を通法にしたがってシャフト１の両端それぞれに装着すれば、図１に示したゴルフ練習具が完成する。
【００２８】
このゴルフ練習具によれば、図５に示したように、ウェイト４側と反対側のグリップ３を中心として回動させたとき、ウェイト４の慣性モーメントによってシャフト１が撓る。つまり、ウェイト４を下にしてアドレスし、素振りを行えば、シャフト１の撓りを体感することができる。
【００２９】
この後、反対側のグリップ２、即ちウェイト４側のグリップ２を握って素振りをすれば、非常に軽くスイングできることを実感する。なお、このときも厳密には不可避にシャフト１が僅かに撓るが、本考案ではこの撓りを積極的な要件とはしない。
【００３０】
そして、グリップ２・３それぞれの素振りを交互に繰り返し行うことにより、ウェイト４がもたらす変化を体感することで、自ずと正しいスイングが身につくようになる。
【００３１】
なお、上記実施形態では、ウェイト４として外表面にねじ４ｂを刻設したねじ棒を採用したため（図２参照）、ウェイト４の表面積拡大に伴って接着力を高めることができた。このように、ねじ４ｂはウェイト４の表面積を拡大することを目的とするから、他の形状であってもよく、また、ねじ４ｂを有しない外表面平滑な丸棒状のものも採用することができる。
【符号の説明】
【００３２】
１  シャフト
２  グリップ（ウェイト側）
３  グリップ
４  ウェイト
５  ピン
６  接着剤
【図１】
0003177868.tif 000003
【図２】
0003177868.tif 000004
【図３】
0003177868.tif 000005
【図４】
0003177868.tif 000006
【図５】
0003177868.tif 000007
【手続補正書】
【提出日】平成24年6月13日(2012.6.13)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の直管からなるシャフトと、該シャフトの両端それぞれに装着したゴルフクラブの両手用グリップと、前記シャフトの筒内の一端側のみに固定され、慣性モーメントにより前記シャフトを弾性的に撓らせる重さを有した円柱状のウェイトとを備えたことを特徴としたゴルフ練習具。
【請求項２】
ウェイトはシャフト内に挿入可能な外径を有する金属製の棒であり、該ウェイトをシャフトに挿入すると共に、前記シャフトの外側から半径方向にピンを貫通させてシャフトの一端側に固定し、さらにウェイトとシャフトとの隙間に接着剤を充填してシャフトと一体とした請求項１記載のゴルフ練習具。
【請求項３】
ウェイトは、外周面にねじを刻設してなる請求項２記載のゴルフ練習具。
【請求項４】
シャフトは、ポリ塩化ビニル管である請求項１、２または３記載のゴルフ練習具。
【請求項５】
接着剤は、ウレタン系接着剤である請求項４記載のゴルフ練習具。